(57)【要約】【課題】乗客の所望の区間でだけ情報提供を行い、列車が当該区間を通過後は情報提供を終了する。また、情報提供の終了時には乗客の登録情報が消去されるようにする。【解決手段】乗客は情報提供を受けたい場合に所持する携帯電話機２００を通信端末１００にかざしてメールアドレスと目的地の情報とを情報サーバ４００に送信する。情報サーバ４００は乗客が指定したメールアドレスと目的地情報とを通信端末１００から受信して登録する。また、情報サーバ４００は定期的または列車９９１が駅に到着時に列車内装置３００から列車９９１の現在地の情報を取得する。そして、情報サーバ４００は列車９９１が乗客の指定した目的地を通過したか否かを判定し、列車９９１が目的地を通過していない場合は情報をメールアドレス宛てに送信し、列車９９１が目的地を通過した場合は登録されている当該メールアドレスと当該目的地情報とを削除する。【選択図】図１
2008171324.tif 000002
【特許請求の範囲】
【請求項１】
車両内で乗客の乗客通信装置から情報の送信先を示す情報提供先情報と情報提供の終了条件を示す情報提供終了地点情報とを情報提供に用いる個人情報として取得する個人情報取得装置と、当該車両の位置を監視する車両監視装置と、当該車両が前記情報提供終了地点情報の示す地点に着くまで前記情報提供先情報が示す情報提供先に任意の情報を提供する情報提供装置とを有する情報提供システムであり、
前記個人情報取得装置は、
乗客通信装置から個人情報を通信機器を用いて取得する個人情報取得部と、
前記個人情報取得部が取得した個人情報を通信機器を用いて前記情報提供装置に送信する個人情報転送部とを備え、
前記車両監視装置は、
当該車両の現在地をＣＰＵ（Ｃｅｎｔｒａｌ  Ｐｒｏｃｃｅｓｓｉｎｇ  Ｕｎｉｔ）を用いて特定する現在地特定部を備え、
前記情報提供装置は、
提供情報を記憶機器を用いて記憶する提供情報記憶部と、
前記個人情報取得装置の前記個人情報転送部が送信した個人情報を通信機器を用いて受信する個人情報受信部と、
前記個人情報受信部が受信した個人情報を記憶機器に記憶する個人情報制御部と、
前記車両監視装置から前記現在地特定部が特定した当該車両の現在地を示す現在地情報を通信機器を用いて取得する現在地情報取得部と、
前記個人情報制御部が記憶した個人情報に含まれる情報提供終了地点情報が示す地点と前記現在地情報取得部が取得した現在地情報が示す当該車両の現在地とをＣＰＵを用いて比較し、当該車両が前記情報提供終了地点情報の示す地点を通過したか否かを判定する現在地判定部と、
前記現在地判定部が当該車両が前記情報提供終了地点情報の示す地点を通過していないと判定した場合に、前記提供情報記憶部が記憶している提供情報を通信機器を用いて前記個人情報制御部が記憶した当該個人情報に含まれる情報提供先情報が示す情報提供先に送信する情報送信部とを備えた
ことを特徴とする情報提供システム。
【請求項２】
前記情報提供装置の前記個人情報制御部は、前記現在地判定部が当該車両が前記情報提供終了地点情報の示す地点を通過したと判定した場合に、記憶機器から当該個人情報を削除する
ことを特徴とする請求項１記載の情報提供システム。
【請求項３】
前記情報提供装置において、
前記提供情報記憶部は提供情報を位置情報に関連付けて記憶し、
前記情報送信部は現在地情報が示す当該車両の現在地に関連付いて前記提供情報記憶部に記憶されている提供情報を送信する
ことを特徴とする請求項１〜請求項２いずれかに記載の情報提供システム。
【請求項４】
提供情報を記憶機器を用いて記憶する提供情報記憶部と、
車両内で乗客の乗客通信装置から情報の送信先を示す情報提供先情報と情報提供の終了条件を示す情報提供終了地点情報とを情報提供に用いる個人情報として取得する個人情報取得装置から個人情報を通信機器を用いて受信する個人情報受信部と、
前記個人情報受信部が受信した個人情報を記憶機器に記憶する個人情報制御部と、
車両の位置を監視する車両監視装置から車両の現在地を示す現在地情報を通信機器を用いて取得する現在地情報取得部と、
前記個人情報制御部が記憶した個人情報に含まれる情報提供終了地点情報が示す地点と前記現在地情報取得部が取得した現在地情報が示す当該車両の現在地とをＣＰＵ（Ｃｅｎｔｒａｌ  Ｐｒｏｃｃｅｓｓｉｎｇ  Ｕｎｉｔ）を用いて比較し、当該車両が前記情報提供終了地点情報の示す地点を通過したか否かを判定する現在地判定部と、
前記現在地判定部が当該車両が前記情報提供終了地点情報の示す地点を通過していないと判定した場合に、前記提供情報記憶部が記憶している提供情報を通信機器を用いて前記個人情報制御部が記憶した当該個人情報に含まれる情報提供先情報が示す情報提供先に送信する情報送信部と
を備えたことを特徴とする情報提供装置。
【請求項５】
車両内で乗客の乗客通信装置から情報の送信先を示す情報提供先情報と情報提供の終了条件を示す情報提供終了地点情報とを情報提供に用いる個人情報として取得する個人情報取得装置と、当該車両の位置を監視する車両監視装置と、当該車両が前記情報提供終了地点情報の示す地点に着くまで前記情報提供先情報が示す情報提供先に任意の情報を提供する情報提供装置とを有する情報提供システムの情報提供方法であり、
前記個人情報取得装置において、
個人情報取得部は乗客通信装置から個人情報を通信機器を用いて取得する個人情報取得処理を行い、
個人情報転送部は前記個人情報取得部が取得した個人情報を通信機器を用いて前記情報提供装置に送信する個人情報転送処理を行い、
前記車両監視装置において、
現在地特定部は当該車両の現在地をＣＰＵ（Ｃｅｎｔｒａｌ  Ｐｒｏｃｃｅｓｓｉｎｇ  Ｕｎｉｔ）を用いて特定する現在地特定処理を行い、
前記情報提供装置において、
個人情報受信部は前記個人情報取得装置の前記個人情報転送部が送信した個人情報を通信機器を用いて受信する個人情報受信処理を行い、
個人情報制御部は前記個人情報受信部が受信した個人情報を記憶機器に記憶する個人情報登録処理を行い、
現在地情報取得部は前記車両監視装置から前記現在地特定部が特定した当該車両の現在地を示す現在地情報を通信機器を用いて取得する現在地情報取得処理を行い、
現在地判定部は前記個人情報制御部が記憶した個人情報に含まれる情報提供終了地点情報が示す地点と前記現在地情報取得部が取得した現在地情報が示す当該車両の現在地とをＣＰＵを用いて比較し、当該車両が前記情報提供終了地点情報の示す地点を通過したか否かを判定する現在地判定処理を行い、
情報送信部は前記現在地判定部が当該車両が前記情報提供終了地点情報の示す地点を通過していないと判定した場合に、提供情報を記憶機器を用いて記憶する提供情報記憶部が記憶している提供情報を通信機器を用いて前記個人情報制御部が記憶した当該個人情報に含まれる情報提供先情報が示す情報提供先に送信する情報送信処理を行う
ことを特徴とする情報提供システムの情報提供方法。
【請求項６】
前記情報提供装置の前記個人情報制御部は、前記現在地判定部が当該車両が前記情報提供終了地点情報の示す地点を通過したと判定した場合に、記憶機器から当該個人情報を削除する個人情報削除処理を行う
ことを特徴とする請求項５記載の情報提供システムの情報提供方法。
【請求項７】
前記情報提供装置において、
前記提供情報記憶部は提供情報を位置情報に関連付けて記憶し、
前記情報送信部は、前記情報送信処理時に、現在地情報が示す当該車両の現在地に関連付いて前記提供情報記憶部に記憶されている提供情報を送信する
ことを特徴とする請求項５〜請求項６いずれかに記載の情報提供システムの情報提供方法。
【発明の詳細な説明】
【技術分野】
【０００１】
本発明は、例えば、車両内で情報提供を行う情報提供システム、情報提供装置および情報提供システムの情報提供方法に関するものである。
【背景技術】
【０００２】
列車内においてドアの上方に取り付けられたディスプレイを用いて停車駅、到着時刻、乗り換え案内、企業のコマーシャルなどのコンテンツが乗客に提供されている。
【特許文献１】特開２００６−７８７３号公報
【発明の開示】
【発明が解決しようとする課題】
【０００３】
しかし、コンテンツは共有のディスプレイに表示されるため、各乗客はコンテンツを自由に参照することができない。
【０００４】
本発明は、例えば、各乗客が自己の所持する通信端末で提供コンテンツを取得し、参照できるようにすることを目的とする。
また例えば、本発明は乗客が希望する区間でだけ乗客にコンテンツを提供できるようにすることを目的とする。
【課題を解決するための手段】
【０００５】
本発明の情報提供システムは、車両内で乗客の乗客通信装置から情報の送信先を示す情報提供先情報と情報提供の終了条件を示す情報提供終了地点情報とを情報提供に用いる個人情報として取得する個人情報取得装置と、当該車両の位置を監視する車両監視装置と、当該車両が前記情報提供終了地点情報の示す地点に着くまで前記情報提供先情報が示す情報提供先に任意の情報を提供する情報提供装置とを有する情報提供システムであり、前記個人情報取得装置は、乗客通信装置から個人情報を通信機器を用いて取得する個人情報取得部と、前記個人情報取得部が取得した個人情報を通信機器を用いて前記情報提供装置に送信する個人情報転送部とを備え、前記車両監視装置は、当該車両の現在地をＣＰＵ（Ｃｅｎｔｒａｌ  Ｐｒｏｃｃｅｓｓｉｎｇ  Ｕｎｉｔ）を用いて特定する現在地特定部を備え、前記情報提供装置は、提供情報を記憶機器を用いて記憶する提供情報記憶部と、前記個人情報取得装置の前記個人情報転送部が送信した個人情報を通信機器を用いて受信する個人情報受信部と、前記個人情報受信部が受信した個人情報を記憶機器に記憶する個人情報制御部と、前記車両監視装置から前記現在地特定部が特定した当該車両の現在地を示す現在地情報を通信機器を用いて取得する現在地情報取得部と、前記個人情報制御部が記憶した個人情報に含まれる情報提供終了地点情報が示す地点と前記現在地情報取得部が取得した現在地情報が示す当該車両の現在地とをＣＰＵを用いて比較し、当該車両が前記情報提供終了地点情報の示す地点を通過したか否かを判定する現在地判定部と、前記現在地判定部が当該車両が前記情報提供終了地点情報の示す地点を通過していないと判定した場合に、前記提供情報記憶部が記憶している提供情報を通信機器を用いて前記個人情報制御部が記憶した当該個人情報に含まれる情報提供先情報が示す情報提供先に送信する情報送信部とを備えたことを特徴とする。
【発明の効果】
【０００６】
本発明によれば、車両が乗客の指定した情報提供終了地点を通過したか否かを判定することにより、例えば、乗客が希望する区間でだけ乗客の指定先に情報（コンテンツ）を提供することができる。
【発明を実施するための最良の形態】
【０００７】
実施の形態１．
図１は、実施の形態１における情報提供システム９９０の構成図である。
鉄道を交通手段の一例として、実施の形態１における情報提供システム９９０の構成について、図１に基づいて以下に説明する。但し、交通手段はバスやタクシーなどの他の交通手段であっても構わない。列車９９１、バス、タクシーは車両の一例である。
【０００８】
各鉄道事業者の各列車９９１は、列車９９１内において列車９９１内の各機器を制御するシステム（以下、列車内システムとする）と地上の施設において各列車９９１の運行監視を行うシステム（以下、地上系システムとする）とにより運行管理されている。以下、列車内システムを構成する装置を列車内装置３００（車両監視装置の一例）、地上系システムを構成する装置を地上系装置５００（車両監視装置の一例）とする。
【０００９】
地上系システムを構成する地上系装置５００は線路上のセンサ（図示省略）などからの情報により各列車９９１がどの位置を走行中であるか、予定通りの運行状況であるかなどの情報を司令室端末５１０や駅表示装置５４０に通知し、各駅の駅表示装置５４０は地上系装置５００からの通知に基づいて各列車９９１の到着予定時刻や遅延時間などの運行状況を表示する。また、司令室では各列車９９１の運行ダイヤと地上系装置５００から通知された運行状況とに基づいて停止や減速などの指令が司令室端末５１０から駅員端末５３０や運転台装置５２０に通知される。そして、駅員端末５３０で指令を受けた駅員や運転台装置５２０で通知を受けた運転士は司令室からの指令に応じて所定のアナウンスや運転制御を行う。
【００１０】
列車９９１内において、列車内装置３００は列車番号、運行ダイヤ（停車駅や到着時刻を示す路線情報）などの自装置が搭載された列車９９１の情報を記憶管理している。また、列車内装置３００は、その他に車輪の回転数に基づいて始発駅からの距離（キロ程）を記録管理し、自己が搭載された車両（自己が制御する対象の車両）の車両番号を記録管理し、運行ダイヤやキロ程に基づいて列車９９１がどの駅間を走行中であるか、次の到着駅はどこかなどの情報を記録管理している。
また、列車内装置３００は運転台装置５２０での運転士による加速や減速などの運転操作や速度計・加速度計（図示省略）などの計測値に基づいてブレーキ３３０を制御したり、運転台装置５２０での運転士による開閉操作に基づいてドア３２０を制御したり、各車両の温度計・湿度計（図示省略）などの計測値に基づいてエアコン３１０を制御したりする。
また、列車内装置３００は運行ダイヤ（路線情報）や次の到着駅などの情報を情報サーバ４００に提供し、情報サーバ４００が生成した運行ダイヤ・次の到着駅の表示情報や企業のコマーシャルなどのコンテンツを情報ディスプレイ４１０に表示させる。
【００１１】
情報サーバ４００と情報ディスプレイ４１０とは列車９９１内の表示装置を用いて乗客に情報提供を行うシステムを構成する。
【００１２】
実施の形態１における情報提供システム９９０は、列車９９１が乗客の目的地に到着するまでの間だけ、情報サーバ４００が携帯電話機２００に情報配信することを特徴とする。また、後述する実施の形態２では、Ｗｅｂサーバ６００が携帯電話機２００に情報配信することを特徴とする。
情報サーバ４００（情報提供装置の一例）は通信端末１００（個人情報取得装置の一例）を介して携帯電話機２００からメールアドレス（情報提供先情報の一例）と目的地情報（情報提供終了地点情報の一例）とを取得し、列車内装置３００（車両監視装置の一例）が特定した列車９９１の現在地に基づいて、列車９９１が乗客の目的地に到着するまでの間だけ当該メールアドレス宛てに情報配信メールを送信する。
また、後述する実施の形態２において、Ｗｅｂサーバ６００（情報提供装置の一例）は通信端末１００を介して携帯電話機２００からメールアドレスと目的地情報とを取得し、地上系装置５００（車両監視装置の一例）が特定した列車９９１の現在地に基づいて、列車９９１が乗客の目的地に到着するまでの間だけ当該メールアドレス宛てに情報配信メールを送信する。
【００１３】
こうして、乗客は列車９９１が目的地に到着するまでの間だけ情報提供を受けることができる。
【００１４】
列車番号は列車９９１を識別する情報（ＩＤ：Ｉｄｅｎｔｉｆｉｅｒ）の一例であり、車両番号は車両を識別する情報の一例である。
キロ程は列車９９１の現在地を示す位置情報の一例であり、列車位置の特定方法には、車輪の回転数に基づいてキロ程を算出する方法の他に、例えば、ＧＰＳ（Ｇｌｏｂａｌ  Ｐｏｓｉｔｉｏｎｉｎｇ  Ｓｙｓｔｅｍ）を用いて座標を算出する方法や線路上に設置したセンサにより列車９９１を検知してセンサの位置に基づいて列車９９１の位置を特定する方法がある。
携帯電話機２００は通信端末（乗客通信装置）の一例であり、通信端末には他にＰＨＳ（Ｐｅｒｓｏｎａｌ  Ｈａｎｄｙｐｈｏｎｅ  Ｓｙｓｔｅｍ）（登録商標）やＰＤＡ（Ｐｅｒｓｏｎａｌ  Ｄｉｇｉｔａｌ  Ａｓｓｉｓｔａｎｔｓ）（登録商標）や接触型・非接触型ＩＣ（Ｉｎｔｅｇｒａｔｅｄ  Ｃｉｒｃｕｉｔ）カードなどがある。
通信端末１００と携帯電話機２００とはＦｅｌｉｃａ（登録商標）、赤外線、可視光、Ｂｌｕｅｔｏｏｔｈ（登録商標）、Ｗ−ＬＡＮ（ワイヤレスラン）などを利用した無線通信を行う。以下、Ｆｅｌｉｃａ（登録商標）のように、通信端末１００が携帯電話機２００から近距離（数ミリメートル）または短距離（数センチメートル）の範囲（以下、近距離とする）に接近することにより、通信端末１００と携帯電話機２００とが通信を行う形態で説明する。
実施の形態１においてサーバや端末は装置、機器を意味する。
【００１５】
図２は、実施の形態１における通信端末１００、携帯電話機２００、情報サーバ４００の機能構成図である。
図３は、実施の形態１における列車内装置３００の機能構成図である。
実施の形態１における通信端末１００、携帯電話機２００、列車内装置３００および情報サーバ４００の機能構成について、図２および図３に基づいて以下に説明する。
【００１６】
図２において、通信端末１００（個人情報取得装置の一例）は対携帯通信部１１０、端末制御部１２０、対列車内装置通信部１３０および端末記憶部１９０を備える。
対携帯通信部１１０（個人情報取得部の一例）は通信機器を用いて携帯電話機２００との間で近距離無線通信を行う。例えば、対携帯通信部１１０は、無線通信範囲内に位置する携帯電話機２００の電波を検出した際、携帯電話機２００から提供情報の送信先となるメールアドレス（情報提供先情報の一例）や情報提供の終了条件とする所有者（乗客）の目的地名（情報提供終了地点情報の一例）を個人情報として無線で受信する。
対列車内装置通信部１３０は通信機器を用いて有線または無線により情報サーバ４００や列車内装置３００と通信を行う。例えば、対列車内装置通信部１３０は情報サーバ４００に対携帯通信部１１０が携帯電話機２００から受信した個人情報を送信する。また例えば、対列車内装置通信部１３０は列車内装置３００が管理する列車番号や車両番号を受信する。
端末記憶部１９０は記憶機器を用いて通信端末１００で使用する各データの記憶管理を行う。例えば、端末記憶部１９０は携帯電話機２００から取得した個人情報（例えば、メールアドレス、目的地名）を記憶管理する。また例えば、端末記憶部１９０は列車内装置３００から取得した列車番号や車両番号を記憶管理する。また例えば、端末記憶部１９０は自通信端末１００を識別する端末ＩＤを記憶管理する。
端末制御部１２０はＣＰＵ（Ｃｅｎｔｒａｌ  Ｐｒｏｃｃｅｓｓｉｎｇ  Ｕｎｉｔ）を用いて通信端末１００の各機能を制御する。例えば、端末制御部１２０は対携帯通信部１１０を制御して携帯電話機２００から個人情報（例えば、メールアドレス、目的地名）を取得し、対列車内装置通信部１３０を制御して列車内装置３００から列車番号や車両番号を取得し、端末記憶部１９０に対するデータの記憶・取り出しを行う。
【００１７】
図２において、携帯電話機２００（乗客通信装置の一例）は携帯通信部２１０、携帯制御部２２０、携帯表示部２３０、キー入力部２４０、音声入出力部２５０、振動部２６０および携帯記憶部２９０を備える。
携帯通信部２１０は通信機器を用いて無線により携帯電話機２００の入出力データの通信を行う。例えば、携帯通信部２１０は提供情報の受信先とするメールアドレスや情報提供の終了条件とする所有者（乗客）の目的地名を個人情報として通信端末１００に電波で発信し、情報サーバ４００が送信した提供情報の配信メールを受信する。
携帯表示部２３０は液晶ディスプレイ（表示機器の一例）（図示省略）に文字や画像を表示する。
キー入力部２４０は押下されたテンキーや十字キー（入力機器の一例）（図示省略）の情報を入力する。
音声入出力部２５０はマイク（入力機器の一例）（図示省略）により収集した音声情報を入力し、スピーカー（出力機器の一例）（図示省略）から音声を出力する。
振動部２６０はバイブレーター（図示省略）を起動して携帯電話機２００を振動させる。
携帯記憶部２９０は記憶機器を用いて携帯電話機２００で使用する各データの記憶管理を行う。例えば、携帯記憶部２９０は電話番号、メールアドレス、目的地名などの個人情報を記憶管理し、情報サーバ４００が送信した提供情報の配信メールを記憶管理する。
携帯制御部２２０はＣＰＵを用いて携帯電話機２００の各機能を制御する。例えば、携帯制御部２２０は携帯通信部２１０を制御して通信端末１００に個人情報を送信し、情報サーバ４００から提供情報の配信メールを受信し、携帯表示部２３０を制御して配信メールの内容を表示する。また例えば、携帯制御部２２０は携帯記憶部２９０に対するデータの記憶・取り出しを行う。
【００１８】
図２において、情報サーバ４００（情報提供装置）は情報サーバ通信部４０１、情報サーバ制御部４０２および情報サーバ記憶部４０９を備える。
情報サーバ通信部４０１（個人情報受信部、現在地情報取得部、情報送信部の一例）は通信機器を用いて有線または無線により情報サーバ４００の入出力データの通信を行う。例えば、情報サーバ通信部４０１は通信端末１００から携帯電話機２００から取得された個人情報（例えば、メールアドレス、目的地名）を受信する。また例えば、情報サーバ通信部４０１は携帯電話機２００に提供情報の配信メールを送信する。また例えば、情報サーバ通信部４０１は列車内装置３００が特定した列車９９１の現在地情報を受信する。
情報サーバ記憶部４０９（提供情報記憶部の一例）は記憶機器を用いて情報サーバ４００で使用する各データの記憶管理を行う。例えば、情報サーバ記憶部４０９は通信端末１００を介して携帯電話機２００から取得した個人情報（例えば、メールアドレス、目的地名）や列車内装置３００から取得した列車９９１の現在地情報を記憶管理する。また例えば、情報サーバ記憶部４０９は提供する情報（コンテンツ）を記憶管理する。
情報サーバ制御部４０２（個人情報制御部、現在地判定部の一例）はＣＰＵを用いて情報サーバ４００の各機能を制御する。例えば、情報サーバ制御部４０２は情報サーバ通信部４０１を制御して通信端末１００を介して携帯電話機２００から個人情報を取得し、列車内装置３００から列車９９１の現在地情報を取得し、携帯電話機２００に提供情報の配信メールを送信する。また例えば、情報サーバ制御部４０２は列車９９１が乗客の目的地を通過したか判定し、情報提供が必要か否かを判定する。また例えば、情報サーバ制御部４０２は情報サーバ記憶部４０９に対するデータの記憶・取り出しを行う。
【００１９】
図３において、列車内装置３００（車両監視装置の一例）は列車内装置通信部３０１、列車内装置制御部３０２、キロ程算出部３０３および列車内装置記憶部３０９を備える。
列車内装置通信部３０１は通信機器を用いて有線または無線により列車内装置３００の入出力データの通信を行う。例えば、列車内装置通信部３０１は情報サーバ４００に列車内装置３００が管理している列車番号、車両番号、キロ程、運行ダイヤ、次の到着駅などのデータを送信する。また例えば、列車内装置通信部３０１は隣車両の列車内装置３００の列車内装置通信部３０１と通信を行う。
キロ程算出部３０３（現在地特定部の一例）は車輪の回転数に基づいてキロ程を列車９９１の現在地情報として算出する。
列車内装置記憶部３０９（管理装置記憶部の一例）は記憶機器を用いて列車内装置３００で使用する各データの記憶管理を行う。例えば、列車内装置記憶部３０９は予め設定されている列車番号や運行ダイヤなどの自装置が搭載された列車９９１の情報およびキロ程算出部３０３が算出したキロ程を記憶管理する。また例えば、列車内記憶部は自列車内装置３００が搭載されている車両（自列車内装置３００が接続する通信端末１００が設置されている車両）の番号（車両番号）、列車９９１がどの駅間を走行中であるか、次の到着駅はどこであるかなどの情報（現在地情報）を記録管理する。
列車内装置制御部３０２はＣＰＵを用いて列車内装置３００の各機能を制御する。例えば、列車内装置制御部３０２は列車内装置通信部３０１を制御して情報サーバ４００に列車番号、車両番号、キロ程、運行ダイヤ、次の到着駅などを提供する。また例えば、列車内装置制御部３０２はキロ程算出部３０３を制御して列車９９１の現在のキロ程を算出する。また例えば、列車内装置制御部３０２は運行ダイヤやキロ程に基づいて列車９９１がどの駅間を走行中であるか、次の到着駅はどこであるかなど（現在地情報）を特定する。また例えば、列車内装置制御部３０２は列車内装置記憶部３０９に対するデータの記憶・取り出しを行う。また例えば、列車内装置制御部３０２はエアコン３１０を制御して列車９９１内の空気調節を行い、ドア３２０の開閉を行い、ブレーキ３３０を制御して列車９９１を加速・減速・停止する。また例えば、列車内装置制御部３０２は情報サーバ４００が提供するコンテンツを情報ディスプレイ４１０に表示出力、音声出力させる。
【００２０】
図４は、実施の形態１における情報提供システム９９０のハードウェア資源の一例を示す図である。
図４において、通信端末１００、携帯電話機２００、列車内装置３００、情報サーバ４００、地上系装置５００、司令室端末５１０、運転台装置５２０、駅員端末５３０、Ｗｅｂサーバ６００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５（または通信チップ）、磁気ディスク装置９２０と接続され、これらのハードウェアデバイスを制御する。また、携帯電話機２００はハードウェアデバイスとしてその他にテンキー・十字キー、液晶ディスプレイ、マイク、スピーカー、バイブレーター（入出力機器の一例、図示省略）を備える。磁気ディスク装置９２０の代わりにその他の記憶装置（例えば、ＲＡＭやフラッシュメモリなどの半導体メモリ）を用いてもよい。
ＲＡＭ９１４は、揮発性メモリの一例である。ＲＯＭ９１３、磁気ディスク装置９２０の記憶媒体は、不揮発性メモリの一例である。これらは、記憶機器、記憶装置あるいは記憶部の一例である。また、入出力データが記憶されている記憶機器は入出力機器、入出力装置あるいは入出力部の一例である。
通信ボード９１５（または通信チップ）は、通信機器、通信装置、通信部、入出力機器、入出力装置あるいは入出力部の一例である。
【００２１】
通信ボード９１５は、有線または無線、接触または非接触で、ＬＡＮ（Ｌｏｃａｌ  Ａｒｅａ  Ｎｅｔｗｏｒｋ）、インターネット９４０、ＩＳＤＮ等のＷＡＮ（ワイドエリアネットワーク）、電話回線などの通信網に接続されている。インターネット９４０は通信網の一例である。
【００２２】
磁気ディスク装置９２０には、ＯＳ９２１（オペレーティングシステム）、プログラム群９２３、ファイル群９２４が記憶されている。プログラム群９２３のプログラムは、ＣＰＵ９１１、ＯＳ９２１により実行される。
【００２３】
上記プログラム群９２３には、実施の形態において「〜部」、「〜装置」、「〜端末」として説明する機能を実行するプログラムが記憶されている。プログラムは、ＣＰＵ９１１により読み出され実行される。
【００２４】
ファイル群９２４には、実施の形態において、「〜部」や「〜装置」や「〜端末」の機能を実行した際の「〜の判定結果」、「〜の計算結果」、「〜の処理結果」などの結果データ、「〜部」や「〜装置」や「〜端末」の機能を実行するプログラム間で受け渡しするデータ、その他の情報やデータや信号値や変数値やパラメータが、「〜ファイル」や「〜データベース」の各項目として記憶されている。メールアドレス、目的地名、現在地情報、コンテンツなどはファイル群９２４に含まれるものの一例である。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、磁気ディスク装置９２０の磁気ディスク、その他の記録媒体に記録される。また、データや信号値は、バス９１２や信号線やケーブルその他の伝送媒体によりオンライン伝送される。
【００２５】
また、実施の形態において「〜部」、「〜装置」、「〜端末」として説明するものは、「〜回路」、「〜機器」、「〜手段」であってもよく、また、「〜ステップ」、「〜手順」、「〜処理」であってもよい。すなわち、「〜部」、「〜装置」、「〜端末」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスクやその他の記録媒体に記憶される。プログラムはＣＰＵ９１１により読み出され、ＣＰＵ９１１により実行される。すなわち、プログラムは、「〜部」、「〜装置」、「〜端末」としてコンピュータを機能させるものである。あるいは、「〜部」、「〜装置」、「〜端末」の手順や方法をコンピュータに実行させるものである。
【００２６】
図５は、実施の形態１における情報提供方法を示すフローチャートである。
実施の形態１における情報提供方法について、図５に基づいて以下に説明する。
【００２７】
＜Ｓ１０１：個人情報登録要求処理＞
まず、携帯電話機２００は通信端末１００に個人情報の登録を要求する。
例えば、乗車中に列車９９１が走行している場所に関する情報を得たい場合に乗客は携帯電話機２００を通信端末１００に近づける。そして、携帯電話機２００が通信端末１００の通信範囲に入った際、携帯制御部２２０は携帯通信部２１０を制御してメールアドレスおよび目的地名を個人情報として個人情報登録要求を発信する。
個人情報登録要求は情報配信要求を意味し、個人情報登録要求の通信は情報配信の開始契機を示す。また、目的地名が示す目的地への列車９９１の到着は情報配信の終了契機を示すと共に登録した個人情報の消去・削除・解除を示す。つまり、情報提供システム９９０において、個人情報は情報配信方法・条件を示し、乗客は携帯電話機２００にて個人情報登録を要求後、目的地に到着するまでの間だけ情報を電子メールで取得することができる。
メールアドレスは個人を特定する情報の一例であり、乗客が情報を取得する情報取得先を示す情報の一例であり、情報提供システム９９０が乗客に情報を提供する情報提供先を示す情報（情報提供先情報）の一例である。そして、情報提供システム９９０において、列車９９１が走行している場所に関する情報（以下、位置関連情報とする）はメールアドレス宛てに電子メールで配信される。例えば、個人特定情報、情報取得先情報、情報提供先情報にはメールアドレスの他に電話番号やＩＰ（Ｉｎｔｅｒｎｅｔ  Ｐｒｏｔｏｃｏｌ）アドレスなどがある。個人情報として電話番号が用いられた場合、情報は電話番号先の電話への着信にて音声メッセージで配信され、個人情報としてＩＰアドレスが用いられた場合、情報は電子メールと同様に配信される。
目的地名は目的地を特定する情報の一例であり、乗客が情報配信の終了を要求する情報配信終了要求の一例であり、乗客が指定する情報配信終了条件（情報終了地点情報）（場所、時刻など）の一例であり、情報提供システム９９０が乗客への情報配信を終了する条件（情報終了地点情報）の一例である。例えば、目的地名は駅名や土地名であり、目的地名の代わりに列車９９１が通過した際に情報配信を終了させる座標や経過した際に情報配信を終了させる時刻を個人情報に用いてもよい。また、目的地名は乗客が携帯電話機２００を操作してキー入力してもよいし、携帯制御部２２０が携帯記憶部２９０に予め記憶された目的地名候補を携帯表示部２３０に表示させて乗客に選択させてもよい。また、乗客が目的地に行くために事前に携帯電話機２００を用いて列車９９１の乗り換え案内（時刻表、乗換駅、乗換路線など）を調べた際に携帯電話機２００に入力した目的地名を携帯記憶部２９０に記憶しておき、携帯記憶部２９０に目的地名が記憶されている場合には乗客による入力・選択を省略してこの目的地名を個人情報としてもよい。また、携帯記憶部２９０に予め定期券情報が登録され、乗客が携帯電話機２００を電子定期券として使用して改札を出入している場合には、乗客による入力・選択を省略して定期券情報が示す目的地名を個人情報としてもよい。
【００２８】
＜Ｓ１０２：個人情報登録処理（個人情報取得処理、個人情報転送処理、個人情報受信処理、個人情報登録処理）＞
次に、通信端末１００は携帯電話機２００から発信された個人情報登録要求を情報サーバ４００に転送し、情報サーバ４００は個人情報登録要求に従って個人情報を登録する。
このとき、通信端末１００および情報サーバ４００は図６に基づいて説明する以下の処理を行う。
図６は、実施の形態１における通信端末１００および情報サーバ４００の個人情報登録処理（Ｓ１０２）を示すフローチャートである。
【００２９】
＜＜Ｓ１０２ａ：個人情報登録要求受信処理（個人情報取得処理）＞＞
まず、通信端末１００において、対携帯通信部１１０は携帯電話機２００が発信した個人情報登録要求を受信する。
【００３０】
＜＜Ｓ１０２ｂ：個人情報登録要求転送処理（個人情報転送処理）＞＞
通信端末１００において、対携帯通信部１１０が個人情報登録要求を受信した際、端末制御部１２０は対列車内装置通信部１３０を制御して個人情報登録要求を情報サーバ４００に転送する。このとき、端末制御部１２０は個人情報登録要求に自端末が設置されている列車の列車番号と車両の車両番号とを乗車情報として加える。列車番号と車両番号とは列車内装置３００から通信端末１００に通知され予め端末記憶部１９０に記憶されているものとする。
【００３１】
＜＜Ｓ１０２ｃ：個人情報記憶処理（個人情報受信処理、個人情報登録処理）＞＞
次に、情報サーバ４００において、情報サーバ制御部４０２は通信端末１００が転送した個人情報登録要求が示す個人情報を情報サーバ記憶部４０９に登録する。
このとき、情報サーバ４００は以下の処理を行う。
まず、情報サーバ通信部４０１は通信端末１００が送信した個人情報登録要求を受信する（Ｓ１０２ｃ１）。
次に、情報サーバ制御部４０２は情報サーバ通信部４０１が受信した個人情報登録要求に含まれる個人情報を情報サーバ記憶部４０９に記憶する。このとき、情報サーバ制御部４０２は個人情報登録要求に含まれる乗車情報に基づいて、図７に示す配信管理テーブル９８１のように、車両別に目的地名とメールアドレスとを情報サーバ記憶部４０９に登録する。但し、情報サーバ制御部４０２は目的地別にメールアドレスを登録してもよい。配信管理テーブル９８１は個人情報を登録した登録情報の一例である（Ｓ１０２ｃ２）。
図７は、実施の形態１における配信管理テーブル９８１の一例を示す図である。
図８は、実施の形態１における路線の一例を示す図である。
図７、図８は、メールアドレス「ｂｂｂ＠・・・」、「ｅｅｅ＠・・・」および「ｆｆｆ＠・・・」宛てには列車９９１が「横浜」に到着するまで情報がメール配信され、「ａａａ＠・・・」および「ｇｇｇ＠・・・」宛てには「恵比寿」まで情報配信され、「ｃｃｃ＠・・・」および「ｄｄｄ＠・・・」宛てには「新宿」まで情報配信されることを示している。つまり、図７、図８は、「横浜」を目的地とする乗客（個人ＩＤ：１０１、１０４、２０１）は列車９９１が「横浜」に到着するまで情報提供され、「恵比寿」を目的地とする乗客（個人ＩＤ：１００、２０２）は列車９９１が「恵比寿」に到着するまで情報提供され、「新宿」を目的地とする乗客（個人ＩＤ：１０２、１０３）は列車９９１が「新宿」に到着するまで情報提供されることを示している。図７において、「車両ＩＤ」は乗車情報に含まれる車両番号を示し、「個人ＩＤ」は情報サーバ制御部４０２が登録情報（個人情報、配信管理テーブル９８１のレコード）を識別する情報である。
【００３２】
図５のＳ１０３について説明する。
【００３３】
＜Ｓ１０３：情報配信処理（現在地特定処理、現在地情報取得処理、現在地判定処理、情報送信処理、個人情報削除処理）＞
次に、情報サーバ４００は定期的または列車９９１が駅に停車した時に携帯電話機２００に情報を配信する。
このとき、情報サーバ４００は図９に基づいて説明する以下の処理を行う。
図９は、実施の形態１における情報サーバ４００の情報配信処理（Ｓ１０３）を示すフローチャートである。
【００３４】
＜＜Ｓ１０３ａ：現在地情報取得処理（現在地特定処理、現在地情報取得処理）＞＞
まず、情報サーバ制御部４０２は列車内装置３００から列車９９１の現在の走行位置を示す現在地情報を取得する。
このとき、情報サーバ４００および列車内装置３００は以下の処理を行う。
まず、情報サーバ４００において、情報サーバ制御部４０２は情報サーバ通信部４０１を制御して現在地情報要求を列車内装置３００に送信する（Ｓ１０３ａ１）。
次に、列車内装置３００において、列車内装置通信部３０１は情報サーバ４００から現在地情報要求を受信する（Ｓ１０３ａ２）。
列車内装置３００において、列車内装置通信部３０１が現在地情報要求を受信した際、列車内装置制御部３０２はキロ程算出部３０３を制御して車輪の回転数に基づいて現在の列車９９１のキロ程を現在地情報として算出する（Ｓ１０３ａ３：現在地特定処理）。
次に、列車内装置３００において、列車内装置制御部３０２は現在の列車９９１のキロ程に基づいて次に停車・通過する駅または直前に停車・通過した駅を現在地情報として特定する。例えば、各駅のキロ程が列車内装置３００の列車内装置記憶部３０９に予め記憶され、列車内装置制御部３０２は算出したキロ程と列車内装置記憶部３０９に記憶されている各駅のキロ程とを比較して現在地情報を特定する（Ｓ１０３ａ４：現在地特定処理）。
次に、列車内装置３００において、列車内装置制御部３０２は列車内装置通信部３０１を制御して現在地情報を情報サーバ４００に送信する（Ｓ１０３ａ５）。
そして、情報サーバ４００において、情報サーバ通信部４０１は列車内装置３００が送信した現在地情報を受信し、情報サーバ制御部４０２は情報サーバ通信部４０１が受信した現在地情報を情報サーバ記憶部４０９に記憶する（Ｓ１０３ａ６：現在地情報取得処理）。
【００３５】
＜＜Ｓ１０３ｂ：情報配信判定処理（現在地判定処理）＞＞
次に、情報サーバ制御部４０２は、列車内装置３００から取得した現在地情報と情報サーバ記憶部４０９に登録されている個人情報とに基づいて、情報配信の要否を判定する。
例えば、登録された各個人情報が図７の配信管理テーブル９８１で示され、現在地情報は列車９９１が図８に示す路線において「横浜」を通過し「恵比寿」に向かっていることを示すとする。この場合、情報サーバ制御部４０２は、「ｂｂｂ＠・・・」、「ｅｅｅ＠・・・」および「ｆｆｆ＠・・・」宛てには配信メールを送信せず、「ａａａ＠・・・」、「ｃｃｃ＠・・・」、「ｄｄｄ＠・・・」および「ｇｇｇ＠・・・」宛てには配信メールを送信すると判定する。図８に示す路線情報（大船→東戸塚→横浜→恵比寿→新宿）は列車内装置３００から情報サーバ４００に提供されて情報サーバ記憶部４０９に予め記憶されているものとする。
【００３６】
＜＜Ｓ１０３ｃ：配信メール送信処理（情報送信処理）＞＞
次に、情報サーバ制御部４０２は情報配信すると判定したメールアドレス宛てに配信メールを送信する。
このとき、情報サーバ制御部４０２は以下に説明する処理を行う。
まず、情報サーバ制御部４０２は列車内装置３００から取得した現在地情報が示す列車９９１の現在の走行地点（例えば、キロ程、次の停車駅、直前の停車駅）に関する位置関連情報および登録情報の一部である車両番号（図７における車両ＩＤ）が示す車両に対応する位置関連情報を情報サーバ記憶部４０９から取得する（Ｓ１０３ｃ１）。
情報サーバ記憶部４０９には予め各地点に対応させて配信する情報を示す電子データであるコンテンツが記憶されているものとする。例えば、コンテンツは地名、当該地の名産、当該地のニュース、次に停車する駅の駅名、次に停車する駅までの所要時間などをテキストデータ、画像データ、音声データなどの形式で示す。また例えば、情報サーバ記憶部４０９には列車９９１が各駅に停車した際に各車両の停止位置におけるホームの情報（例えば、改札、乗換ホーム、階段、トイレなどの位置）をコンテンツとして記憶している。
次に、情報サーバ制御部４０２は情報サーバ記憶部４０９から取得した位置関連情報を配信情報として本文や添付ファイルに設定すると共に、情報配信すると判定したメールアドレスを宛先アドレスに設定して電子メール（以下、配信メールとする）を生成する（Ｓ１０３ｃ２）。
そして、情報サーバ制御部４０２は生成した配信メールを情報サーバ通信部４０１に送信させる（Ｓ１０３ｃ３：情報送信処理）。
但し、配信情報は列車９９１や車両の位置に関する情報でなく任意の情報でも構わない。
【００３７】
＜＜Ｓ１０３ｄ：個人情報登録削除処理（個人情報削除処理）＞＞
また、情報サーバ制御部４０２は情報配信しないと判定したメールアドレスに対応する登録情報（個人情報）を情報サーバ記憶部４０９から削除する。
例えば、登録された各個人情報が図７の配信管理テーブル９８１で示され、現在地情報は列車９９１が図８に示す路線において「横浜」を通過し「恵比寿」に向かっていることを示すとする。この場合、情報サーバ制御部４０２は、「横浜」を目的地として登録されている配信管理レコード（個人ＩＤ：１０１、１０４、２０１）を削除する。つまり、情報サーバ制御部４０２は「横浜」を目的地とする各乗客の個人情報を情報サーバ記憶部４０９から削除する。
また、情報サーバ制御部４０２は、乗客が車両を移動した場合など、情報サーバ記憶部４０９に新たに個人情報が登録された際に元々登録してあった既存の個人情報を削除するようにしてもよい。
【００３８】
図５のＳ１０４について説明する。
【００３９】
＜Ｓ１０４：情報取得処理＞
そして、携帯電話機２００は情報サーバ４００から配信メールを受信し、乗客は携帯電話機２００で受信した配信メールから情報を取得する。
このとき、携帯電話機２００は以下に説明する処理を行う。
まず、携帯通信部２１０は情報サーバ４００が送信した配信メールを受信し、携帯制御部２２０は携帯通信部２１０が受信した配信メールを携帯記憶部２９０に記憶する（Ｓ１０４ａ）。
次に、携帯制御部２２０は電子メールを受信したことを携帯電話機２００の所有者（乗客）に知らせるために、音声入出力部２５０を制御してスピーカーからチャイムを鳴らしたり、振動部２６０を制御してバイブレーターを振動させたりする（Ｓ１０４ｂ）。
そして、携帯制御部２２０は、所有者の操作に従い、配信メールの本文や添付ファイルについて、携帯表示部２３０を制御してディスプレイに表示したり、音声入出力部２５０を制御してスピーカーから音声出力したりする。これにより、携帯電話機２００の所有者である乗客は例えば列車９９１が走行している場所に関する位置関連情報を列車９９１が目的地に到着するまでの間だけ取得することができる（Ｓ１０４ｃ）。
【００４０】
上記実施の形態１では、情報サーバ４００が列車９９１の走行している場所に関する位置関連情報や列車９９１の各車両に対応する位置関連情報を配信する形態について説明した。ここで、携帯電話機２００は情報サーバ４００に乗客の嗜好を示す嗜好情報を含めて個人情報を送信し、情報サーバ４００は位置関連情報の中から選択した当該乗客の嗜好に合う情報を配信してもよい。
【００４１】
上記実施の形態１における情報提供システム９９０は、情報サーバ４００が列車内装置３００から列車９９１が走行中の場所を示す現在地情報を取得し、列車９９１が実際に走行している場所に関する位置関連情報を携帯電話機２００に配信することを特徴とする。
つまり、乗客は、列車９９１が運行停止・運行遅延してダイヤが乱れた場合であっても、列車９９１の走行状況に合わせて指定した場所（例えば、目的地）に到着するまでの間、列車９９１の走行状況に応じた位置関連情報の提供を受けることができる。
【００４２】
また、上記実施の形態１における情報提供システム９９０は、情報提供の終了条件（例えば、目的地）だけでなく、情報提供の開始条件（例えば、駅名、時刻）も個人情報に含めることにより、情報提供開始条件と情報提供終了条件とで特定される乗客が情報提供を希望する区間内を列車９９１が走行中のときにだけ、位置関連情報を提供してもよい。このとき、情報配信処理（Ｓ１０３）（図９参照）において、情報サーバ４００の情報サーバ制御部４０２は、現在地情報取得処理（Ｓ１０３ａ）で列車内装置３００から取得した現在地情報の示す列車９９１の現在地が個人情報の示す情報提供開始地点から情報提供終了地点までの区間内に位置する場合に情報配信要と判定し（Ｓ１０３ｂ）、配信メールを送信する（Ｓ１０３ｃ）。また、情報サーバ制御部４０２は列車９９１の現在地が当該区間内に位置しない場合に情報配信不要と判定し（Ｓ１０３ｂ）、個人情報を削除する（Ｓ１０３ｄ）。
そして、乗客は、上記実施の形態１における情報提供システム９９０の機能を情報提供サービスとして利用するだけでなく、乗り過ごしの防止を目的としたアラームサービスとしても利用できる。例えば、乗客は、降車駅の一つ前の駅の駅名を情報提供開始条件とする個人情報を携帯電話機２００を用いて情報サーバ４００に登録することにより、列車９９１が運行停止・運行遅延した場合であっても、列車９９１が実際に降車駅の１つ前の駅を通過した際に配信メールを受けることができる。そして、乗客は配信メール受信時の携帯電話機２００の着信バイブや着信チャイムにより列車９９１がまもなく降車駅に到着することを知ることができる。
【００４３】
また、上記実施の形態１における情報提供システム９９０は、携帯電話機２００が目的地名を含む個人情報を送信して情報サーバ４００が個人情報を登録し、列車９９１が目的地を通過した際に情報サーバ４００が個人情報を削除することを特徴とする。
これにより、列車９９１が目的地に到着した際、乗客自らが携帯電話機２００を操作して情報サーバ４００に個人情報の登録削除を要求しなくても、登録された個人情報は削除され、配信メールがいつまでも配信され続けることは無い。
【００４４】
実施の形態１において図１０に示すような情報提供システム９９０について説明した。
図１０は、実施の形態１における情報提供システム９９０の概略図である。
【００４５】
車両情報管理装置９９２（図１における列車内装置３００）は列車内に設置され、その列車９９１に関する情報（車両番号、路線、行き先等）をリアルタイムに収集、管理する。
情報表示装置９９３（図１における情報ディスプレイ４１０）は、電子ペーパー等の表示装置であり、車内に設置されている。
情報配信装置９９４（図１における情報サーバ４００）は、広告、列車に関する情報、位置関連情報などのコンテンツを蓄積し、情報表示装置９９３や乗客の携帯電話機２００に配信する。乗客は、乗車時にＦｅｌｉｃａ（登録商標）リーダ・ライタ等の情報入力装置９９５（図１における通信端末１００）に携帯電話機２００をかざしてメールアドレスを情報配信装置９９４に伝えることが出来る。メールアドレスを伝える方法はＦｅｌｉｃａ（登録商標）を用いる方法に限らない。また、乗客が目的地等の情報を携帯電話機２００に設定しておいた場合、情報配信装置９９４はメールアドレスと対応付けて目的地等の情報も取得する。
これにより、車両内の情報表示装置９９３や携帯電話機２００を用いて列車９９１内の乗客に情報を提供することができると共に、列車９９１内で収集した個人情報に有効期限を設定して収集した個人情報を自動的に登録解除できる。
【００４６】
ここで、コンテンツ配信例を以下に示す。
（ａ）次の停車駅、車両位置に応じたコンテンツ配信
次の停車駅が複数路線の乗換駅である場合、現在の車両の位置に応じたホームでの乗り換え案内のコンテンツを情報表示装置９９３や携帯電話機２００に配信する。つまり、乗車車両位置及び情報表示装置９９３の車両内設置位置に応じて、配信されるコンテンツの内容が異なる。また、乗客が目的地等の自身の情報を携帯電話機２００に設定している場合には、例えば乗換駅に近づくと情報が配信される。日常時の他、事故発生時も同様であり、車両位置や情報表示装置９９３の設置位置に応じた乗り換え案内を行う。
（ｂ）列車位置（どの駅間を走行しているか）に応じたコンテンツ配信
情報配信装置９９４に位置に関する広告情報（街の情報等）を蓄積しておき、列車９９１が走行している区間に関する広告情報を情報表示装置９９３や携帯電話機２００に配信する。
（ｃ）乗車している路線、乗客の目的地に応じたコンテンツ配信
事故発生時に、路線や乗客の目的地に応じたコンテンツを携帯電話機２００に配信する。
【００４７】
つまり、実施の形態１における情報提供システム９９０は、目的地の駅で乗客が車両を降りると、乗客の携帯電話機２００への情報配信は自動的に停止する。この情報配信を停止するタイミングは、携帯電話機２００の設定情報から取得した「目的地」に基づく方法の他、乗客が情報配信を希望する区間の情報（情報配信開始条件および情報配信終了条件）を情報配信装置９９４に伝える等により決めても良い。
また、実施の形態１における情報提供システム９９０は、乗客の目的地や乗車車両に応じた効率的な情報配信が可能である。
また、実施の形態１における情報提供システム９９０は、情報配信時期を自動的に判断して登録されている個人情報を削除できるため、列車内で収集した個人情報の保護に貢献できる。
また、実施の形態１における情報提供システム９９０は、乗客が見ている情報表示装置９９３の位置や乗車している車両位置に応じた情報を提供できるため、異常時の混乱を軽減できる。
そして、実施の形態１における情報提供システム９９０では、乗客の情報（目的地等）を列車の位置情報との関連で活用できるため、乗客は利便性の高いサービスを享受出来る。
【００４８】
実施の形態２．
前記実施の形態１では列車９９１内で情報配信する形態について説明したが、実施の形態２では列車９９１の外部から情報配信する形態について説明する。
以下、前記実施の形態１と異なる事項を中心に説明し、説明しない事項は前記実施の形態１と同様であるものとする。
【００４９】
図１１は、実施の形態２におけるＷｅｂサーバ６００の機能構成図である。
図１２は、実施の形態２における地上系装置５００の機能構成図である。
【００５０】
図１１において、Ｗｅｂサーバ６００（情報提供装置の一例）はＷｅｂ通信部６１０、Ｗｅｂサーバ制御部６２０、対地上系装置通信部６３０およびＷｅｂサーバ記憶部６９０を備える。
Ｗｅｂ通信部６１０（個人情報受信部、情報送信部の一例）は通信機器を用いてインターネット９４０を介して携帯電話機２００と通信を行う。例えば、Ｗｅｂ通信部６１０は携帯電話機２００から個人情報（例えば、メールアドレス、目的地名）を受信し、携帯電話機２００に提供情報の配信メールを送信する。
対地上系装置通信部６３０（現在地情報取得部の一例）は通信機器を用いて有線または無線により地上系装置５００と通信を行う。例えば、対地上系装置通信部６３０は地上系装置５００から地上系装置５００が特定した列車９９１の現在地情報を受信する。
Ｗｅｂサーバ記憶部６９０（提供情報記憶部の一例）は記憶機器を用いてＷｅｂサーバ６００で使用する各データの記憶管理を行う。例えば、Ｗｅｂサーバ記憶部６９０は携帯電話機２００から取得した個人情報（例えば、メールアドレス、目的地名）や地上系装置５００から取得した列車９９１の現在地情報を記憶管理する。また例えば、Ｗｅｂサーバ記憶部６９０は提供する情報（コンテンツ）を記憶管理する。
Ｗｅｂサーバ制御部６２０（個人情報制御部、現在地判定部の一例）はＣＰＵを用いてＷｅｂサーバ６００の各機能を制御する。例えば、Ｗｅｂサーバ制御部６２０はＷｅｂ通信部６１０を制御して通信端末１００を介して携帯電話機２００から個人情報を取得し、携帯電話機２００に提供情報の配信メールを送信する。また例えば、Ｗｅｂサーバ制御部６２０は対地上系装置通信部６３０を制御して地上系装置５００から列車９９１の現在地情報を取得する。また例えば、Ｗｅｂサーバ制御部６２０は列車９９１が乗客の目的地を通過したか判定し、情報提供が必要か否かを判定する。また例えば、Ｗｅｂサーバ制御部６２０はＷｅｂサーバ記憶部６９０に対するデータの記憶・取り出しを行う。
【００５１】
図１２において、地上系装置５００（車両監視装置の一例）は地上系装置通信部５０１、地上系装置制御部５０２、車両監視部５０３および地上系装置記憶部５０９を備える。
地上系装置通信部５０１は通信機器を用いて有線または無線により司令室端末５１０、駅員端末５３０、駅表示装置５４０、運転台装置５２０、列車内装置３００、Ｗｅｂサーバ６００と通信を行う。例えば、地上系装置通信部５０１はＷｅｂサーバ６００に列車９９１の現在地情報を送信し、司令室端末５１０、駅員端末５３０、駅表示装置５４０、運転台装置５２０、列車内装置３００に各列車９９１の運行情報を送信する。
車両監視部５０３（現在地特定部の一例）は各線路上の各センサ（図示省略）から各列車９９１に対する検知情報を取得し、各センサの検知情報に基づいてＣＰＵを用いて各列車９９１の現在の走行位置・停止位置（現在地情報の一例）を特定する。
地上系装置記憶部５０９は記憶機器を用いて地上系装置５００で使用する各データの記憶管理を行う。例えば、地上系装置記憶部５０９は車両監視部５０３が特定した各列車９９１の現在地情報を記憶管理する。また例えば、地上系装置記憶部５０９は各列車９９１の運行ダイヤを記憶管理する。
地上系装置制御部５０２はＣＰＵを用いて地上系装置５００の各機能を制御する。例えば、地上系装置制御部５０２は車両監視部５０３を制御して各列車９９１の現在地を特定し、地上系装置通信部５０１を制御して各列車９９１の現在地情報をＷｅｂサーバ６００に通知する。また例えば、各列車９９１の位置と運行ダイヤとを比較照合して各列車９９１の運行状況を判断し、地上系装置通信部５０１を制御して運行状況を司令室端末５１０、駅員端末５３０、駅表示装置５４０や運転台装置５２０に通知する。また例えば、地上系装置制御部５０２は地上系装置記憶部５０９に対するデータの記憶・取り出しを行う。
【００５２】
図１３は、実施の形態２における情報提供方法を示すフローチャートである。
実施の形態２における情報提供方法について、図１３に基づいて以下に説明する。
【００５３】
＜Ｓ２０１：情報配信要求処理＞
まず、携帯電話機２００は通信端末１００に情報配信を要求する。
例えば、乗車中に列車９９１が走行している場所に関する情報を得たい場合に乗客は携帯電話機２００を通信端末１００に近づける。そして、携帯電話機２００が通信端末１００の通信範囲に入った際、携帯制御部２２０は携帯通信部２１０を制御して情報配信要求を発信する。情報配信要求には前記実施の形態１における個人情報が含まれていなくても構わない。
【００５４】
＜Ｓ２０２：個人情報取得処理（個人情報取得処理）＞
次に、情報配信要求を受信した際、通信端末１００は携帯電話機２００から個人情報を取得する。個人情報は前記実施の形態１と同様であり、例えば、メールアドレスと目的地名である。
このとき、通信端末１００および携帯電話機２００は図１４に基づいて説明する以下の処理を行う。
図１４は、実施の形態２における通信端末１００、携帯電話機２００およびＷｅｂサーバ６００の個人情報取得処理（Ｓ２０２）と個人情報登録処理（Ｓ２０３）とにおけるデータフローを示す図である。
【００５５】
まず、通信端末１００において、端末制御部１２０は携帯電話機２００に記憶されている個人情報にアクセスするために対携帯通信部１１０からオープンコマンドを発信する（Ｓ２０２ａ）。
次に、携帯電話機２００において、携帯通信部２１０は通信端末１００が発信した個人情報に対するオープンコマンドを受信し、携帯制御部２２０は個人情報が記憶されている携帯記憶部２９０内のファイルを読み取り可能にオープンする（Ｓ２０２ｂ）。
次に、通信端末１００において、端末制御部１２０は携帯電話機２００に記憶されている個人情報を取得するために対携帯通信部１１０からリードコマンドを発信する（Ｓ２０２ｃ）。
次に、携帯電話機２００において、携帯通信部２１０は通信端末１００が発信した個人情報に対するリードコマンドを受信し、携帯制御部２２０は読み取り可能にオープンしたファイルから個人情報を取得し、携帯通信部２１０を制御して個人情報を発信する（Ｓ２０２ｄ）。
次に、通信端末１００において、対携帯通信部１１０は携帯電話機２００が発信した個人情報を受信し、端末制御部１２０は対携帯通信部１１０が受信した個人情報を端末記憶部１９０に記憶する（Ｓ２０２ｅ：個人情報取得処理）。
次に、通信端末１００において、端末制御部１２０は個人情報のファイルをクローズするために対携帯通信部１１０からクローズコマンドを発信する（Ｓ２０２ｆ）。
そして、携帯電話機２００において、携帯通信部２１０は通信端末１００が発信した個人情報のファイルに対するクローズコマンドを受信し、携帯制御部２２０は個人情報のファイルを読み取り不可能にクローズする（Ｓ２０２ｇ）。
【００５６】
図１３のＳ２０３について説明する。
【００５７】
＜Ｓ２０３：個人情報登録処理（個人情報転送処理、個人情報受信処理、個人情報登録処理）＞
個人情報の取得後、通信端末１００は携帯電話機２００のＷｅｂ通信機能を使用して個人情報をＷｅｂサーバ６００に送信し、Ｗｅｂサーバ６００は個人情報を登録する。
このとき、通信端末１００、携帯電話機２００およびＷｅｂサーバ６００は図１４に基づいて説明する以下の処理を行う。
【００５８】
まず、通信端末１００において、端末制御部１２０は携帯電話機２００のＷｅｂｔｏ機能（Ｗｅｂ通信機能）にアクセスするために対携帯通信部１１０からオープンコマンドを発信する（Ｓ２０３ａ）。
次に、携帯電話機２００において、携帯通信部２１０は通信端末１００が発信したＷｅｂｔｏ機能に対するオープンコマンドを受信し、携帯制御部２２０はＷｅｂｔｏ機能を実行可能にする（Ｓ２０３ｂ）。
次に、通信端末１００において、端末制御部１２０は端末記憶部１９０から携帯電話機２００の個人情報を取得する。そして、端末制御部１２０は、対携帯通信部１１０を制御して、携帯電話機２００の個人情報と自端末が設置されている列車９９１の列車番号と自端末が設置されている車両の車両番号とを送信情報として送信先をＷｅｂサーバ６００とするＷｅｂ送信要求（Ｗｅｂｔｏデータ）を発信する。例えば、列車番号は列車内装置３００から通信端末１００に通知され予め端末記憶部１９０に記憶されているものとする。また例えば、車両番号は予め端末記憶部１９０に記憶されているものとする。また例えば、端末記憶部１９０には予めＷｅｂサーバ６００のＩＰ（Ｉｎｔｅｒｎｅｔ  Ｐｒｏｔｏｃｏｌ）アドレスが記憶され、端末制御部１２０はＷｅｂサーバ６００のＩＰアドレスをＷｅｂｔｏデータに送信先として設定するものとする（Ｓ２０３ｃ）。
次に、携帯電話機２００において、携帯通信部２１０は対携帯通信部１１０が発信した個人情報を含むＷｅｂｔｏデータを受信し、携帯制御部２２０は携帯通信部２１０を制御して個人情報を含むＷｅｂｔｏデータを通信端末１００に指定された送信先であるＷｅｂサーバ６００にＷｅｂ送信する（Ｓ２０３ｄ：個人情報転送処理）。
次に、Ｗｅｂサーバ６００において、Ｗｅｂ通信部６１０は携帯電話機２００が送信したＷｅｂｔｏデータを受信し、Ｗｅｂサーバ制御部６２０はＷｅｂｔｏデータに含まれる個人情報をＷｅｂサーバ記憶部６９０に記憶する。このとき、Ｗｅｂサーバ制御部６２０は、図１５に示す配信管理テーブル９８１のように、列車別および車両別に目的地名とメールアドレスとをＷｅｂサーバ記憶部６９０に登録する。但し、Ｗｅｂサーバ制御部６２０は列車別および目的地別にメールアドレスを登録してもよい（Ｓ２０３ｅ：個人情報受信処理、個人情報登録処理）。
図１５は、実施の形態２における配信管理テーブル９８１の一例を示す図である。
次に、通信端末１００において、端末制御部１２０は携帯電話機２００のＷｅｂｔｏ機能を終了するために対携帯通信部１１０からクローズコマンドを発信する（Ｓ２０３ｆ）。
そして、携帯電話機２００において、携帯通信部２１０は通信端末１００が発信したＷｅｂｔｏ機能に対するクローズコマンドを受信し、携帯制御部２２０はＷｅｂｔｏ機能を終了する（Ｓ２０３ｇ）。
【００５９】
図１３のＳ２０４について説明する。
【００６０】
＜Ｓ２０４：情報配信処理（現在地特定処理、現在地情報取得処理、現在地判定処理、情報送信処理、個人情報削除処理）＞
次に、Ｗｅｂサーバ６００は定期的または列車９９１が駅に停車した時に携帯電話機２００に情報を配信する。
Ｗｅｂサーバ６００の情報配信処理（Ｓ２０４）は、前記実施の形態１における情報サーバ４００の情報配信処理（Ｓ１０３）（図９参照）と同様である。ここで、Ｗｅｂ通信部６１０と対地上系装置通信部６３０とは情報サーバ通信部４０１に対応し、Ｗｅｂサーバ制御部６２０は情報サーバ制御部４０２に対応し、Ｗｅｂサーバ記憶部６９０は情報サーバ記憶部４０９に対応する。また、列車内装置３００には地上系装置５００が対応し、地上系装置通信部５０１は列車内装置通信部３０１に対応し、地上系装置制御部５０２は列車内装置制御部３０２に対応し、車両監視部５０３はキロ程算出部３０３に対応し、地上系装置記憶部５０９は列車内装置記憶部３０９に対応する。
つまり、現在地情報取得処理（Ｓ１０３ａ）において、前記実施の形態１では列車９９１内に位置する情報サーバ４００が列車内装置３００から現在地情報を取得するのに対して、実施の形態２では列車９９１の外部に位置するＷｅｂサーバ６００が地上系装置５００から各列車９９１の現在地情報を取得する。地上系装置５００の地上系装置制御部５０２は、Ｗｅｂサーバ６００からの現在地情報要求に対して、車両監視部５０３が例えば各線路上のセンサが感知した各列車９９１の位置を示す現在地情報を地上系装置通信部５０１を制御してＷｅｂサーバ６００に送信する。
また、情報配信判定処理（Ｓ１０３ｂ）において、Ｗｅｂサーバ制御部６２０は、前記実施の形態１における情報サーバ制御部４０２と同様に、地上系装置５００から取得した各列車９９１の現在地情報とＷｅｂサーバ記憶部６９０に登録されている個人情報とに基づいて、情報配信の要否を判定する。
また、情報メール送信処理（Ｓ１０３ｃ）において、Ｗｅｂサーバ制御部６２０は、前記実施の形態１における情報サーバ制御部４０２と同様に、情報配信すると判定したメールアドレス宛てに配信メールを送信する。
そして、個人情報登録削除処理（Ｓ１０３ｄ）において、Ｗｅｂサーバ制御部６２０は、前記実施の形態１における情報サーバ制御部４０２と同様に、情報配信しないと判定したメールアドレスに対応する登録情報（個人情報）をＷｅｂサーバ記憶部６９０から削除する。また、Ｗｅｂサーバ制御部６２０は、乗客が列車９９１を乗り換えた場合など、Ｗｅｂサーバ記憶部６９０に新たに個人情報が登録された際に元々登録してあった既存の個人情報を削除するようにしてもよい。
【００６１】
図１３のＳ２０５について説明する。
【００６２】
＜Ｓ２０５：情報取得処理＞
そして、携帯電話機２００は、前記実施の形態１における情報取得処理（Ｓ１０４）と同様に、Ｗｅｂサーバ６００から配信メールを受信し、乗客は携帯電話機２００で受信した配信メールから情報を取得する。
【００６３】
実施の形態２における情報提供システム９９０は、通信端末１００が携帯電話機２００のＷｅｂｔｏ機能を利用してＷｅｂサーバ６００に個人情報を登録することを特徴とする。
また、実施の形態２における情報提供システム９９０は列車９９１の外部に位置するＷｅｂサーバ６００が個人情報を登録することを特徴とする。
これにより、実施の形態２における情報提供システム９９０は、各列車９９１についての配信情報（個人情報、コンテンツ）を１つの装置（Ｗｅｂサーバ６００）で管理することができ、また、乗客が目的地に到着するまでの間に列車９９１を乗り継ぐような場合であっても実際に乗客が目的地に到着したときに情報配信を終了することができる。
【図面の簡単な説明】
【００６４】
【図１】実施の形態１における情報提供システム９９０の構成図。
【図２】実施の形態１における通信端末１００、携帯電話機２００、情報サーバ４００の機能構成図。
【図３】実施の形態１における列車内装置３００の機能構成図。
【図４】実施の形態１における情報提供システム９９０のハードウェア資源の一例を示す図。
【図５】実施の形態１における情報提供方法を示すフローチャート。
【図６】実施の形態１における通信端末１００および情報サーバ４００の個人情報登録処理（Ｓ１０２）を示すフローチャート。
【図７】実施の形態１における配信管理テーブル９８１の一例を示す図。
【図８】実施の形態１における路線の一例を示す図。
【図９】実施の形態１における情報サーバ４００の情報配信処理（Ｓ１０３）を示すフローチャート。
【図１０】実施の形態１における情報提供システム９９０の概略図。
【図１１】実施の形態２におけるＷｅｂサーバ６００の機能構成図。
【図１２】実施の形態２における地上系装置５００の機能構成図。
【図１３】実施の形態２における情報提供方法を示すフローチャート。
【図１４】実施の形態２における通信端末１００、携帯電話機２００およびＷｅｂサーバ６００の個人情報取得処理（Ｓ２０２）と個人情報登録処理（Ｓ２０３）とにおけるデータフローを示す図。
【図１５】実施の形態２における配信管理テーブル９８１の一例を示す図。
【符号の説明】
【００６５】
１００  通信端末、１１０  対携帯通信部、１２０  端末制御部、１３０  対列車内装置通信部、１９０  端末記憶部、２００  携帯電話機、２１０  携帯通信部、２２０  携帯制御部、２３０  携帯表示部、２４０  キー入力部、２５０  音声入出力部、２６０  振動部、２９０  携帯記憶部、３００  列車内装置、３０１  列車内装置通信部、３０２  列車内装置制御部、３０３  キロ程算出部、３０９  列車内装置記憶部、３１０  エアコン、３２０  ドア、３３０  ブレーキ、４００  情報サーバ、４０１  情報サーバ通信部、４０２  情報サーバ制御部、４０９  情報サーバ記憶部、４１０  情報ディスプレイ、５００  地上系装置、５０１  地上系装置通信部、５０２  地上系装置制御部、５０３  車両監視部、５０９  地上系装置記憶部、５１０  司令室端末、５２０  運転台装置、５３０  駅員端末、５４０  駅表示装置、６００  Ｗｅｂサーバ、６１０  Ｗｅｂ通信部、６２０  Ｗｅｂサーバ制御部、６３０  対地上系装置通信部、６９０  Ｗｅｂサーバ記憶部、９１１  ＣＰＵ、９１２  バス、９１３  ＲＯＭ、９１４  ＲＡＭ、９１５  通信ボード、９２０  磁気ディスク装置、９２１  ＯＳ、９２３  プログラム群、９２４  ファイル群、９４０  インターネット、９８１  配信管理テーブル、９９０  情報提供システム、９９１  列車、９９２  車両情報管理装置、９９３  情報表示装置、９９４  情報配信装置、９９５  情報入力装置。
【図１】
2008171324.tif 000003
【図２】
2008171324.tif 000004
【図３】
2008171324.tif 000005
【図４】
2008171324.tif 000006
【図５】
2008171324.tif 000007
【図６】
2008171324.tif 000008
【図７】
2008171324.tif 000009
【図８】
2008171324.tif 000010
【図９】
2008171324.tif 000011
【図１０】
2008171324.tif 000012
【図１１】
2008171324.tif 000013
【図１２】
2008171324.tif 000014
【図１３】
2008171324.tif 000015
【図１４】
2008171324.tif 000016
【図１５】
2008171324.tif 000017